【事件の表示】
　特許第２８０７９８２号「埋設枠用の介装体」の特許に対する特許異議の申立てについて、次のとおり決定する。
【結論】
　訂正を認める。
　特許第２８０７９８２号の特許を維持する。
【理由】
Ｉ．手続の経緯
　本件特許第２８０７９８２号に係る出願は、平成７年１２月２９日の出願であって、平成１０年７月３１日に特許の設定登録がなされ、その後、株式会社ダイモンから特許異議の申立がなされ、取消理由通知がなされ、その指定期間内である平成１１年９月４日に訂正請求がなされたものである。
ＩＩ．訂正の要旨
　訂正事項ａ：特許請求の範囲を、特許請求の範囲の減縮を目的として、次のように訂正する。
「【請求項１】基礎枠体（２）と該基礎枠体（２）上に一体的に連結された突出枠体（３）とからなり、該突出枠体（３）の外径（ｄ）を基礎枠体（２）の外径（Ｄ）よりも小さく、また両枠体（２）、（３）の高さ（Ｈ４）、（Ｈ１）を略同一に形成して埋設枠（５）間に介装する介装枠において、前記両枠体（２）、（３）が段差を有して薄肉の連結部（４）により一体的に連結されるべく、前記突出枠体（３）の高さ（Ｈ１）と連結部（４）の高さ（Ｈ２）との和（Ｈ３）が基礎枠体（２）の高さ（Ｈ４）よりも大きく設定されるとともに、基礎枠体（２）及び突出枠体（３）の上面又は下面に凹凸部１２を設けてなることを特徴とする埋設枠用の介装体。」
　訂正事項ｂ：明細書の段落【０００７】を、以下のように訂正する。
「【０００７】
　【課題を解決するための手段】
　即ち、本発明が上記課題を解決するために採った手段は、基礎枠体２と該基礎枠体２上に一体的に連結された突出枠体３とからなり、該突出枠体３の外径ｄを基礎枠体２の外径Ｄよりも小さく、また両枠体２、３の高さＨ４、Ｈ１を略同一に形成して埋設枠５間に介装する介装枠において、前記両枠体２、３が段差を有して薄肉の連結部４により一体的に連結されるべく、前記突出枠体３の高さＨ１と連結部４の高さＨ２との和Ｈ３が基礎枠体２の高さＨ４よりも大きく設定されるとともに、基礎枠体２及び突出枠体３の上面又は下面に凹凸部１２を設けてなる点にある。」
　訂正事項ｃ：明細書の段落【０００８】を、以下のように訂正する。
「【０００８】
　【作用】
　従って、上記構成を特徴とする介装枠は、段積みされる埋設枠５間に介装されるのであるが、この場合は介装枠の突出枠体３及び連結部４とが埋設枠５の下面に設けられる凹部、並びにその下段における埋設枠５の上面に設けられる環状凸部に嵌合して複数の埋設枠５が段積みされることになる。而して、埋設枠５の凹部に嵌合する突出枠体３及び連結部４の高さＨ１、Ｈ２の和Ｈ３は、基礎枠体２の高さＨ４よりも大きく設定されているので、介装枠１と埋設枠５との嵌合状態が確実なものとなる。
　また、介装枠１の基礎枠体２及び突出枠体３の上面又は下面に凹凸部１２を設けることにより、介装枠１と埋設枠５の嵌合面における親和性が増し、又、埋設枠５の嵌合面の仕上げ状態が悪くともパッキング機能を果たして凹部７や環状凸部８との馴染みが良好になり、介装枠１と埋設枠５との接合面を密着状態に保て、相互のガタツキ等を未然に防止できる。」
　訂正事項ｄ：明細書の段落【００１５】を、以下のように訂正する。
「【００１５】
　尚、上記実施形態においては、介装枠１の基礎枠体２及び突出枠体３の裏面に凹溝２ａ、３ａを形成して、介装枠１と埋設枠５の嵌合面における親和性を増している。」
　訂正事項ｅ：明細書の段落【００１６】を、以下のように訂正する。
「【００１６】
　また、介装枠１の基礎枠体２及び突出枠体３の上面若しくは下面に設ける凹凸部１２は、図３に示すような突起１０や凹溝１１を周方向又は径方向に表して形成してもよく、これにより埋設枠５の嵌合面の仕上げ状態が悪くともパッキング機能を果たして凹部７や環状凸部８との馴染みが良好になり、介装枠１と埋設枠５との接合面を密着状態に保て、相互のガタツキ等を未然に防止できるという利点がある。」
　訂正事項ｆ：明細書の段落【００２０】を、以下のように訂正する。
「【００２０】
　しかも、上記のように高さを確保することにより、段積みされた埋設枠に横方向から外力が加わっても、該埋設枠の凹部と介装枠の突出枠体及び連結部との嵌合状態は良好に維持されるとともに、下段に位置する埋設枠の環状凸部が介装枠の突出枠体の下面及び連結部の内面を支持するので十分な強度を具備し、大なる剪断力が作用しても介装枠が破損しないという有益なる効果を奏する。
　さらに、基礎枠体及び突出枠体に凹凸部を設けることにより、介装枠と埋設枠の嵌合面における親和性が増し、又、介装枠がパッキング機能を果たして埋設枠との嵌合を密着状態に保て、相互のガタツキ等を未然に防止できるという効果を奏する。」
ＩＩＩ．訂正の適否
　１．訂正の目的の適否、新規事項の有無及び拡張・変更の存否
　上記訂正事項ａに係る訂正は、特許請求の範囲の減縮を目的とするものであり、しかもその訂正は、願書に添付した明細書又は図面に記載した事項の範囲内のものであり、さらに、実質上特許請求の範囲を拡張し、又は変更するものではない。
　また、訂正事項ｂ乃至ｆに係る訂正は、訂正事項ａに関連してなされた明瞭でない記載の釈明に該当し、願書に添付した明細書又は図面に記載した事項の範囲内のものであり、実質上特許請求の範囲を拡張し、又は変更するものではない。
　２．独立特許要件の判断
　訂正明細書の請求項１に係る発明は、訂正明細書の特許請求の範囲の請求項１に記載されたとおりのものであり（以下、「訂正後発明」という。）、これに対して、当合議体において、平成１１年６月１６日に職権で甲第２号証を原本と照合し、契、割り印および役職印等を確認し、その結果、甲第２号証において、根上町水道事業管理者でありかつ、根上町長である大窪昭二が、甲第２号証の別紙図面のウレタン樹脂製埋設枠の高さ調整用介装体ＢＫ１を平成４年１月２７日に７個、株式会社ダイモンより購入したことを証明したことを確認し、それにより、本件特許出願前に甲第２号証の図面に記載されたウレタン樹脂製埋設枠の高さ調整用介装体ＢＫ１が公然と実施されたという事実を認め、当審が先に通知した取消理由で引用した、異議申立人株式会社ダイモン提出の甲第２号証の証明書の図面に記載された発明には、甲第２号証の証明書の図面に記載された発明の「下方の枠体」、「上方の枠体」及び「桝用嵩上げ枠」が各々、訂正後発明の「基礎枠体」、「突出枠体」及び「埋設枠用の介装体」に相当するから、両者は、基礎枠体と該基礎枠体上に一体的に連結された突出枠体とからなり、該突出枠体の外径を基礎枠体の外径よりも小さく、埋設枠間に介装する介装枠において、前記両枠体が段差を有して薄肉の連結部により一体的に連結されるべく、前記突出枠体の高さと連結部の高さとの和が基礎枠体の高さよりも大きく設定されている埋設枠用の介装体の点で一致し、訂正発明においては、両枠体の高さを略同一に形成しており、また、基礎枠体及び突出枠体の上面又は下面に凹凸部を設けているのに対し、甲第２号証の証明書の図面に記載された発明においては、そのような構成が記載されていない点で相違している。
　そこで、甲第２号証の図面をみると明記はされていないが、図において両枠体の高さは略同一に描かれているし、嵩上げ枠として用いるためには両枠体の高さを略同一とすることは、当業者が容易に想到しうる程度のことであるが、基礎枠体及び突出枠体の上面又は下面に凹凸部を設けるという事項については何ら記載されておらず、又、示唆するところもない。そして、訂正後発明は、当該事項によって明細書記載の作用効果を奏するものであり、訂正後発明が上記甲第２号証の証明書の図面に記載された発明に基いて当業者が容易に発明をすることができたものとはいえない。
　また、他に特許を受けることができないとする理由も発見できない。
　したがって、訂正後発明は、特許出願の際、独立して特許を受けることができるものである。
　３．訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
ＩＶ．異議の申立てについての判断
　１．申立ての理由の概要
　申立人株式会社ダイモンは、証拠として提出した甲第１号証のカタログ及び甲第２号証の証明書に示すものと同一であり、あるいは甲第１号証のカタログ及び甲第２号証の証明書に基づいて当業者が容易に発明をすることができたものであるから、特許法第２９条第１項あるいは第２項の規定により特許を受けることができないものであるから、本件の特許を取り消すべきであると主張している。
　２．判断
　上記申立人が提出した甲第２号証の証明書に関しては、取消理由に引用しており、また、甲第１号証のカタログにも、本件訂正後発明を構成する事項である、基礎枠体及び突出枠体の上面又は下面に凹凸部を設けるという事項については何ら記載されておらず、又、示唆するところもないから、甲第１号証のカタログの公知性の立証のための証人尋問をするまでもなく、前記ＩＩＩ．２．独立特許要件の判断で示したように、訂正後発明は、甲第１及び２号証に記載された発明と同一であるとも、これらから当業者が容易に発明をすることができたものであるともいえない。
Ｖ．むすび
　以上のとおりであるから、異議申立ての理由及び証拠によっては、本件の特許を取り消すことはできない。
　また、他に本件特許を取り消すべき理由を発見しない。
　よって、結論のとおり決定する。
【異議決定日】
平成１１年１０月２６日（１９９９．１０．２６）
【訂正の要旨】
訂正の要旨
　訂正事項ａ：特許請求の範囲を、特許請求の範囲の減縮を目的として、次のように訂正する。
「【請求項１】基礎枠体（２）と該基礎枠体（２）上に一体的に連結された突出枠体（３）とからなり、該突出枠体（３）の外径（ｄ）を基礎枠体（２）の外径（Ｄ）よりも小さく、また両枠体（２）、（３）の高さ（Ｈ４）、（Ｈ１）を略同一に形成して埋設枠（５）間に介装する介装枠において、前記両枠体（２）、（３）が段差を有して薄肉の連結部（４）により一体的に連結されるべく、前記突出枠体（３）の高さ（Ｈ１）と連結部（４）の高さ（Ｈ２）との和（Ｈ３）が基礎枠体（２）の高さ（Ｈ４）よりも大きく設定されるとともに、基礎枠体（２）及び突出枠体（３）の上面又は下面に凹凸部１２を設けてなることを特徴とする埋設枠用の介装体。」
　訂正事項ｂ：明細書の段落【０００７】を、以下のように訂正する。
「【０００７】
　【課題を解決するための手段】
　即ち、本発明が上記課題を解決するために採った手段は、基礎枠体２と該基礎枠体２上に一体的に連結された突出枠体３とからなり、該突出枠体３の外径ｄを基礎枠体２の外径Ｄよりも小さく、また両枠体２、３の高さＨ４、Ｈ１を略同一に形成して埋設枠５間に介装する介装枠において、前記両枠体２、３が段差を有して薄肉の連結部４により一体的に連結されるべく、前記突出枠体３の高さＨ１と連結部４の高さＨ２との和Ｈ３が基礎枠体２の高さＨ４よりも大きく設定されるとともに、基礎枠体２及び突出枠体３の上面又は下面に凹凸部１２を設けてなる点にある。」
　訂正事項ｃ：明細書の段落【０００８】を、以下のように訂正する。
「【０００８】
　【作用】
　従って、上記構成を特徴とする介装枠は、段積みされる埋設枠５間に介装されるのであるが、この場合は介装枠の突出枠体３及び連結部４とが埋設枠５の下面に設けられる凹部、並びにその下段における埋設枠５の上面に設けられる環状凸部に嵌合して複数の埋設枠５が段積みされることになる。而して、埋設枠５の凹部に嵌合する突出枠体３及び連結部４の高さＨ１、Ｈ２の和Ｈ３は、基礎枠体２の高さＨ４よりも大きく設定されているので、介装枠１と埋設枠５との嵌合状態が確実なものとなる。
　また、介装枠１の基礎枠体２及び突出枠体３の上面又は下面に凹凸部１２を設けることにより、介装枠１と埋設枠５の嵌合面における親和性が増し、又、埋設枠５の嵌合面の仕上げ状態が悪くともパッキング機能を果たして凹部７や環状凸部８との馴染みが良好になり、介装枠１と埋設枠５との接合面を密着状態に保て、相互のガタツキ等を未然に防止できる。」
　訂正事項ｄ：明細書の段落【００１５】を、以下のように訂正する。
「【００１５】
　尚、上記実施形態においては、介装枠１の基礎枠体２及び突出枠体３の裏面に凹溝２ａ、３ａを形成して、介装枠１と埋設枠５の嵌合面における親和性を増している。」
　訂正事項ｅ：明細書の段落【００１６】を、以下のように訂正する。
「【００１６】
　また、介装枠１の基礎枠体２及び突出枠体３の上面若しくは下面に設ける凹凸部１２は、図３に示すような突起１０や凹溝１１を周方向又は径方向に表して形成してもよく、これにより埋設枠５の嵌合面の仕上げ状態が悪くともパッキング機能を果たして凹部７や環状凸部８との馴染みが良好になり、介装枠１と埋設枠５との接合面を密着状態に保て、相互のガタツキ等を未然に防止できるという利点がある。」
　訂正事項ｆ：明細書の段落【００２０】を、以下のように訂正する。
「【００２０】
　しかも、上記のように高さを確保することにより、段積みされた埋設枠に横方向から外力が加わっても、該埋設枠の凹部と介装枠の突出枠体及び連結部との嵌合状態は良好に維持されるとともに、下段に位置する埋設枠の環状凸部が介装枠の突出枠体の下面及び連結部の内面を支持するので十分な強度を具備し、大なる剪断力が作用しても介装枠が破損しないという有益なる効果を奏する。
　さらに、基礎枠体及び突出枠体に凹凸部を設けることにより、介装枠と埋設枠の嵌合面における親和性が増し、又、介装枠体パッキング機能を果たして埋設枠との嵌合を密着状態に保て、相互のガタツキ等を未然に防止できるという効果を奏する。」
（５４）【発明の名称】
埋設枠用の介装体
（５７）【特許請求の範囲】
　【請求項１】　基礎枠体（２）と該基礎枠体（２）上に一体的に連結された突出枠体（３）とからなり、該突出枠体（３）の外径（ｄ）を基礎枠体（２）の外径（Ｄ）よりも小さく、また両枠体（２）、（３）の高さ（Ｈ４）、（Ｈ１）を略同一に形成して埋設枠（５）間に介装する介装枠において、前記両枠体（２）、（３）が段差を有して薄肉の連結部（４）により一体的に連結されるべく、前記突出枠体（３）の高さ（Ｈ１）と連結部（４）の高さ（Ｈ２）との和（Ｈ３）が基礎枠体（２）の高さ（Ｈ４）よりも大きく設定され
るとともに、基礎枠体（２）及び突出枠体（３）の上面又は下面に凹凸部１２を設け
【発明の詳細な説明】
　　【０００１】
　【発明の属する技術分野】
　本発明は、例えば消火栓ボックス、制水弁ボックス、マンホール等を形成すべく地中に埋設枠を段積みする際に、該埋設枠間に介装せしめて高さ調整を図る等のために使用される介装枠の改良に関する。
　　【０００２】
　【従来の技術】
　従来、この種介装枠としては、例えば図４及び図５に示すような枠状のものが存在する。
　　【０００３】
　即ち、この従来の介装枠１ａは、基礎枠体２ａと該基礎枠体２ａの内周側に一体的に連結された突出枠体３ａとからなり、図５の如く下段側の埋設枠５ａの上面に介装枠１ａを装着し、さらに該介装枠１ａの突出枠体３ａに上段側の埋設枠５ａの下面に環状成形した凹部７ａを嵌合させて、複数の埋設枠５ａが段積みされる。
　　【０００４】
　【発明が解決しようとする課題】
　しかしながら、上記従来の介装枠１ａにあっては、突出枠体３ａの高さｈ１が基礎枠体２ａの高さｈ４に比して小さく設定されている。
　即ち、該介装枠１ａは基礎枠体２ａの高さｈ４をある程度分厚く形成し、埋設枠５ａを段積みする際の高さ調節に使用しているが、埋設枠５ａ間における調節高さが低い場合においては使用できず、昨今要求される施工精度（埋設枠５ａを段積みしてなる全体高さ）に対応できないという不都合が生じていた。
　　【０００５】
　また、段積みされた埋設枠５ａに横方向からの外力が加わり比較的大きな剪断力として突出枠体３ａに作用した場合、該突出枠体３ａと前記基礎枠体２ａの境界部分が破損してしまうという問題点も有していたのである。　
　　【０００６】
　それ故に、本発明は上記従来の問題点を解決するためになされたものであり、埋設枠間における高さ調節が微小寸法で行えるとともに、埋設枠相互を確実且つ強固に段積みできる介装枠を提供せんとするものである。
　　【０００７】
　【課題を解決するための手段】
　即ち、本発明が上記課題を解決するために採った手段は、基礎枠体２と該基礎枠体２上に一体的に連結された突出枠体３とからなり、該突出枠体３の外径ｄを基礎枠体２の外径Ｄよりも小さく、また両枠体２、３の高さＨ４、Ｈ１を略同一に形成して埋設枠５間に介装する介装枠において、前記両枠体２、３が段差を有して薄肉の連結部４により一体的に連結されるべく、前記突出枠体３の高さＨ１と連結部４の高さＨ２との和Ｈ３が基礎枠体２の高さＨ４よりも大きく設定され
るとともに、基礎枠体２及び突出枠体３の上面又は下面に凹凸部１２を設け
　　【０００８】
　【作用】
　従って、上記構成を特徴とする介装枠は、段積みされる埋設枠５間に介装されるのであるが、この場合は介装枠の突出枠体３及び連結部４とが埋設枠５の下面に設けられる凹部、並びにその下段における埋設枠５の上面に設けられる環状凸部に嵌合して複数の埋設枠５が段積みされることになる。而して、埋設枠５の凹部に嵌合する突出枠体３及び連結部４の高さＨ１、Ｈ２の和Ｈ３は、基礎枠体２の高さＨ４よりも大きく設定されているので、介装枠１と埋設枠５との嵌合状態が確実なものとなる。
　
また、介装枠１の基礎枠体２及び突出枠体３の上面又は下面に凹凸部１２を設けることにより、介装枠１と埋設枠５の嵌合面における親和性が増し、又、埋設枠５の嵌合面の仕上げ状態が悪くともパッキング機能を果たして凹部７や環状凸部８との馴染みが良好になり、介装枠１と埋設枠５との接合面を密着状態に保て、相互のガタツキ等を未然に防止できる。
　　【０００９】
　【本発明の実施の形態】
　以下、本発明の一実施形態について図面に従って説明する。
　　【００１０】
　図１において、１は環状に形成された基礎枠体２と、該基礎枠体２上に段差を有して設けられた環状の突出枠体３とからなる介装枠を示し、基礎枠体２の内周上端縁に傾斜状に延設された薄肉の連結部４を介して突出枠体３が一体的に連結されており、基礎枠体２及び突出枠体３の裏面に凹凸部１２を設けるべく円弧状の凹溝２ａ、３ａが周方向に複数形成されている。
　　【００１１】
　尚、介装体１の材質はコンクリート、合成樹脂、金属、ゴム等からなり、また突出枠体３の外径ｄは基礎枠体２の外径Ｄよりも小径に形成されるとともに、両枠体２、３の高さＨ４、Ｈ１が略同一で、且つ突出枠体３の高さＨ１と連結部４の高さＨ２との和Ｈ３は基礎枠体２の高さＨ４よりも大きく設定されている。
　　【００１２】
　本実施形態は以上のような構成からなり、かかる介装体１は図２のように円筒状の各埋設枠５間に介装せしめて使用されるが、該埋設枠５は上下外周面に鍔６がそれぞれ突設されたもので、その下面側内周位置には環状の凹部７が形成されるとともに、上面側内周位置には環状凸部８が形成されている。
　　【００１３】
　そして、スラブ９上に埋設枠５を積み、その上位に介装枠１と埋設枠５が段積みされる。この場合において、埋設枠５の凹部７に嵌合する介装枠１の突出枠体３及び連結部４の高さＨ１、Ｈ２の和Ｈ３は、基礎枠体２の高さＨ４よりも大きく設定されてその高さを確保してなるため、埋設枠５の凹部７並びにその下段における埋設枠５の環状凸部８との嵌合が確実に行えるとともに、突出枠体３及び基礎枠体２の厚みが埋設枠５の凹部７の深さ及び環状凸部８の高さより小さくなるため、凹部７及び環状凸部８の寸法が小さい時は更に微小寸法をもって高さ調節が可能となるという利点があり、施工作業の便に大いに寄与することになる。
　　【００１４】
　しかも、このように高さを確保することにより段積みされた埋設枠５に横方向から外力が作用しても、該埋設枠５の凹部７と介装枠１の突出枠体３及び連結部４との嵌合状態は良好に維持されるとともに、下段に位置する埋設枠５の環状凸部８が介装枠１の突出枠体３の下面及び連結部４の内面を支持するため大なる剪断力が作用しても介装枠１が破損するようなことはなく、十分な強度を具備するのである。
　　【００１５】
　尚、上記実施形態においては、介装枠１の基礎枠体２及び突出枠体３の裏面に凹溝２ａ、３ａを形成して
、
ている
　　【００１６】
　また、介装枠１の基礎枠体２及び突出枠体３の上面若しくは下面に
設ける凹凸部１２
表して
して
　　【００１７】
　さらに、上記実施形態では介装枠１の連結部４を傾斜状に形成してなるが、例えば垂直に形成してもよい等、介装枠１の各部の形状は埋設枠５の形状に応じて任意な変更が可能であり、例えば全体を方形状や多角形状に形成してもよい。
　　【００１８】
　その他、埋設枠５間に介装枠１を介装する位置や数、並びにその基礎枠体２、突出枠体３及び連結部４の具体的な高さも問うものではなく、要は突出枠体３の高さＨ１と連結部４の高さＨ２との和Ｈ３が基礎枠体２の高さＨ４よりも大きく設定されればよい。
　また、埋設枠５の形状も問うものではなく、枠の上下面又はその何れか一方に介装枠１が介装可能に形成されていればよい。
　　【００１９】
　【発明の効果】
　叙上のように、本発明は突出枠体の高さと連結部の高さとの和を基礎枠体の高さよりも大きく設定して介装枠を構成してなるため、埋設枠の下面に設けた凹部との嵌合状態が確実且つ安定化するとともに、突出枠体及び基礎枠体の厚みを薄くすることにより微小寸法をもって高さ調節が可能で、一連の施工作業の便に大いに寄与し得るという格別の効果を得るに至った。
　　【００２０】
　しかも、上記のように高さを確保することにより、段積みされた埋設枠に横方向から外力が加わっても、該埋設枠の凹部と介装枠の突出枠体及び連結部との嵌合状態は良好に維持されるとともに、下段に位置する埋設枠の環状凸部が介装枠の突出枠体の下面及び連結部の内面を支持するので十分な強度を具備し、大なる剪断力が作用しても介装枠が破損しないという有益なる効果を奏する。
　
さらに、基礎枠体及び突出枠体に凹凸部を設けることにより、介装枠と埋設枠の嵌合面における親和性が増し、又、介装枠がパッキング機能を果たして埋設枠との嵌合を密着状態に保て、相互間のガタツキ等を未然に防止できるという効果を奏する。
【図面の簡単な説明】
　　【図１】
　介装枠の一実施形態を示し、（イ）の左半部は正面図、右半部は断面図、（ロ）の左半部は平面図、右半部は底面図、（ハ）は要部拡大断面図。
　　【図２】
　（イ）は使用状態を示し、左半部は正面図、右半部は断面図、（ロ）は要部拡大断面図。
　　【図３】
　他の実施形態を示し、（イ）は介装枠の半裁図で上半部は平面図、下半部は底面図、（ロ）は（イ）のＡ−Ａ拡大端面図、（ハ）は（ロ）のＢ−Ｂ断面図、（ニ）は介装枠の半裁図で上半部は平面図、下半部は底面図、（ホ）は（ニ）のＣ−Ｃ拡大端面図、（へ）は（ホ）のＤ−Ｄ端面図。
　　【図４】
　従来の介装枠を示し、左半部は正面図、右半部は断面図。
　　【図５】
　従来の使用状態を示し、左半部は正面図、右半部は断面図。
　【符号の説明】
　１…介装枠
　２…基礎枠体
　３…突出枠体
　４…連結部
　５…埋設枠
　１２…凹凸部